【手続補正書】
【提出日】平成15年1月29日(2003.1.29)
【手続補正１】
【補正対象書類名】明細書
【補正対象項目名】全文
【補正方法】変更
【補正の内容】
【書類名】明細書
【発明の名称】国際電話の経路選択情報／状態ネットワーク
【特許請求の範囲】
【請求項１】
送信用の状態端末に接続された、電話使用者および／または電話の状態に対応する情報を、多数の状態端末の各々から中継センターにて受信する工程と、
中継センターに接続されたデータベースであって、対応する他の端末のグループの識別番号を各端末又は使用者に記憶させ、状態情報を受信する使用者または端末に接続された端末のグループを識別するデータベースにアクセスする工程と、
各送信用の状態端末から受信した情報を、識別された状態端末のグループに即座に中継する工程と、
各受信用の状態端末にて、受信した状態情報を表示する、または後に表示するために情報を記憶する工程とを含む、
電話使用者および／または電話の状態情報を配布する方法。
【請求項２】
状態情報は、送信用端末に接続された電話が話し中であるかどうかの表示を含む請求項１に記載の方法。
【請求項３】
状態情報は、対応する電話の使用者の現在または将来の可用性の表示を含む請求項１または２に記載の方法。
【請求項４】
以下の移送機構、
電話ネットワーク（固定回線または携帯式の双方）の信号送信ネットワーク、電話ネットワークのデータ移送ネットワーク、ページングネットワーク、衛星通信ネットワーク、無線通信ネットワーク、インターネット、データネットワーク、およびケーブルネットワーク、
のうち１つまたはそれ以上を使用している、状態端末および中継センター間に状態情報を送信する工程を含む請求項１ないし３のいずれか１項に記載の方法。
【請求項５】
１つまたはそれ以上の中間中継センターを介して、状態端末および中継センター間に情報を送信する工程を含む請求項１ないし４のいずれか１項に記載の方法。
【請求項６】
第一使用者の端末／使用者識別コードを、使用者の名刺または他のステイショナリに印刷し、これらを他の使用者に配布する工程を含む請求項１ないし５のいずれか１項に記載の方法。
【請求項７】
電話呼び出しを伝えるために使用される電話ネットワークから分離した専用のネットワークを介して上記情報を搬送する工程を含む請求項１ないし６のいずれか１項に記載の方法。
【請求項８】
電気通信網を介して上記情報を搬送する工程を含む請求項１ないし６のいずれか１項に記載の方法。
【請求項９】
電話ネットワークスイッチ間に上記情報を搬送する工程を含む請求項８に記載の方法。
【請求項１０】
電気通信網間の境界を越えて上記情報を搬送する工程を含む請求項８に記載の方法。
【請求項１１】
上記状態端末は、無線端末である請求項１ないし１０のいずれか１項に記載の方法。
【請求項１２】
ディスプレイと、
使用者データ入力手段と、
ネットワークの遠隔電話／使用者の関心を、受信用状態端末またはその使用者に事前に登録され、１つまたはそれ以上の遠隔電話および／または電話使用者の状態を識別する情報を状態ネットワークから受信するように配置された信号入力手段と、
上記受信した情報をディスプレイに表示するために上記入力手段および上記ディスプレイ間に接続された第一処理手段と、
状態ネットワークに接続された信号出力手段と、
使用者データ入力手段と信号出力手段との間、および／または、使用者の電話／電話線と信号出力手段との間に接続されており、使用者および／または電話および／または電話線の状態情報であって、電話から受信した状態情報を識別する使用者によって入力された情報を、後に状態ネットワークに送信するための信号出力手段に中継するように配置された第二処理手段とを備えた、
状態ネットワークに接続するための状態端末。
【請求項１３】
状態端末は、電話端末に組み込まれている請求項１２に記載の状態端末。
【請求項１４】
状態端末は、無線電話端末に組み込まれている請求項１３に記載の状態端末。
【請求項１５】
請求項１３ないし１５のいずれかに基づく多数の状態端末と、
送信用の状態端末に接続された、電話および／または電話使用者の状態に対応する情報を、状態端末から受信するための手段、対応する他の状態端末のグループを各状態端末または使用者に記憶するためのメモリ手段、および各送信用の状態端末から受信した情報を、送信用端末に接続された他の状態端末の上記グループに即座に中継する伝達手段を有する少なくとも１つの中継センターとを備えた、
電話および／または電話使用者の状態情報を配布するように配置された状態ネットワーク。
【発明の詳細な説明】
本発明は、国際電話の経路選択情報／状態／可用性（ａｖａｉｌａｂｉｌｉｔｙ）ネットワーク（ＩＴＲＩＳＡＮ）に関するものであり、より詳しくは、リアルタイム若しくはほぼリアルタイムで電話使用者に、遠隔電話または電話線の状態、若しくは同じ建物、別の建物、あるいは世界の何処にいても遠隔電話／電話線使用者の状態／可用性を表示することができるシステムである。
【０００１】
私用および仕事用共に、電話の呼び出しの多くは、呼び出された電話加入者（「電話加入者」とはここでは電話使用者を意味する）が出ないことにより無駄になることは容易に理解できる。例えば、呼び出された使用者が普段使用する電話の場所に不在である、または電話で他の会話をしていることがある。あまり重要でない内容の電話が、結果として重要な会議等の妨げとなることも明白である。
【０００２】
この問題の簡単な解決法は、メッセージサービスの人によってメッセージを書きとめ、例えば電気または紙のメモを用いて、呼び出された使用者に転送することである。電気通信産業ではこの問題に対処するために多くの解決法が実行されている。例えば、「キャッチホン」サービスが導入されている。これは、呼び出された使用者が話し中であるときに、新たに電話をかけた人は電話を切らずに待ち、呼び出された人には、音または電話交換手のお知らせにより新たに電話がかかってきた旨の通知をするものである。別の解決法は、電子電話受付を使用して、新たにかかってきた電話を切り替えて取り、電話をかけてきた人の名前を聞くことである。名前は呼び出された人に伝えられ、その人は電話に出るかどうか選ぶことができる。さらに別の解決法は「電話の転送」である。例えば、電話使用者が会社に不在の間に新たにかかってきた電話を、彼の固定回線の電話から携帯電話に転送するようにさせる。
【０００３】
多くの解決法に関連する不都合は、呼び出しに失敗した電話でさえ、ある電話ネットワーク接続点、例えば呼び出しを転送する、および／または電話交換手の通知を行うインテリジェントネットワーク（ＩＮ）接続点に、電話をした人の接続を生じさせてしまうことである。これは、一般に呼び出された人および／または呼び出した人が費用を負うことになる。また、しばしばより重要なこととして、呼び出す人と呼び出された人との時間を浪費し、特に呼び出された人が返信電話をする必要があるとしても、元の呼び出した人が呼び出された電話番号に今出ることができないことが分かるだけである。非常に短い接続時間だけのために電話を設置することは、電話ネットワークの管理者にとってさらに不経済であり、電話にかかる費用が（概念上の）設置費を補うことはできない。
【０００４】
本発明の目的は、上述の不都合を打開する、または少なくとも軽減するためのものである。
【０００５】
このおよび他の目的は、電話使用者が電話の状態システム上に配布された電話の状態情報にアクセスすることよって少なくともある程度達成される。発明の特徴は、電話使用者にアルファベット、アルファベットと数字、または数字のコードからなる長期（あるいは一生）のＩＤコードを割り当てることである。
【０００６】
本発明の第１の特徴によれば、電話および／または電話使用者および／または電話線の状態情報を配布する方法であって、上記方法は、送信用の状態端末に接続された、電話および／または電話使用者および／または電話線の状態に対応する情報を、多数の状態端末の各々から１またはそれ以上の中継センターにて受信する工程と、各送信用の状態端末から受信した情報を、送信用端末に接続された他の状態端末のグループに即座に中継する工程と、各受信用状態端末にて、受信した状態情報を表示する、または後に表示するために情報を記憶する工程とを含んでいる。
【０００７】
本発明の実施の形態では、電話使用者は、離れた電話使用者による、後の呼び出しを成功させるかどうかを決定する状態端末を持つことができる。呼び出しが成功しないように決定した場合、離れた電話使用者の状態が使用者の可用性を表示するときまで状態端末を監視し続けることができる（使用者は、警報音、閃光灯または他の適切な手段によって離れた使用者の可用性に注意を払うことができる）。本発明の鍵は、電話使用者にほぼリアルタイムで直接、状態情報を供給することである。
【０００８】
本発明は、使用者が同じＰＢＸ、ＰＡＢＸまたは電話ネットワーク（ＰＳＴＮ、ＰＬＭＮ、等）に接続されているかどうかにかかわらず使用することができる。
【０００９】
配布された情報は、送信用端末に接続された電話が話し中であるかどうかの表示を含んでいる。例えば、情報端末は、接続された電話は話し中である旨を表示するために、オフフック通知を中継センターに送信する。同様に、その後に端末は接続された電話は使用可能である旨を表示するためにオンフック通知を送信する。
【００１０】
配布された情報は、普段接続される電話における、使用者の現在および／または将来の可用性の表示も含んでいる。使用者は中継センターに送信するために端末に他の適切な情報の入力もする。
【００１１】
中継センターは、各接続された端末から受信した情報が送信される他の端末のグループと接続している。すなわち、状態情報の通知がされる端末のグループは、使用者の全体のセットから選択され、選択は使用者自身により行われる。グループは、端末から送信された端末用識別子によりグループに含まれるかが決められる。あるいは、または加えて、端末はいくつかの他の端末に接続されたグループに含むために、自身の識別番号を中継センターに送信する。これら実施形態の双方ともに、中継センターによって保持されたグループを変更するために、中継センターにパスワードを提供することを必要とする。
【００１２】
配布された情報（以下、ＩＴＲＩＳＡＮ情報と記載する）は、（ＩＴＲＩＳＡＮ）端末とある適切な方法を使用している中継センターとの間に送信される。この方法は、電話ネットワーク（固定回線または携帯式の双方）の信号送信ネットワーク、電話ネットワークのデータ移送ネットワーク、ページングネットワーク、衛星通信ネットワーク、無線通信ネットワーク、インターネット、またはケーブルネットワークを含んでいるが、これに限定されることはない。ＩＴＲＩＳＡＮ情報は、２つまたはそれ以上の異なるタイプの送信ネットワークの組み合わせを用いて送信される。固定回線の電話ネットワークの場合、ＩＴＲＩＳＡＮ情報は、ＩＳＤＮ通信の信号送信チャネルを用いて、例えばＤチャネルを用いて送信される。移動式電話ネットワークの場合、ＩＴＲＩＳＡＮ情報は、例えばＧＳＭのＳＭＳメッセージといったテキストメッセージ、またはネットワークのデータ送信機能を用いて送信される。
【００１３】
情報は１つまたはそれ以上の中間中継センターを介して、ＩＴＲＩＳＡＮ端末と中継センターとの間に送信される。ＩＴＲＩＳＡＮもまた２つまたはそれ以上の中継センターを備え、個々のＩＴＲＩＳＡＮ端末が所定部分の中継センターに配置されている。
【００１４】
方法は第一使用者のＩＴＲＩＳＡＮ識別番号を使用者の名刺または他のステイショナリ（ｓｔａｔｉｏｎａｒｙ）に印刷する工程を含んでいる。このような名刺またはステイショナリの一部が配布された別の使用者は、彼自身のＩＴＲＩＳＡＮ識別番号を、第一使用者を有する中継センターに対応するＩＴＲＩＳＡＮ識別番号のグループに加える。
【００１５】
本発明の実施の形態において、情報は別のＩＴＲＩＳＡＮ端末に中継する前に修正または処理される。例えば、ＩＴＲＩＳＡＮ情報が時間成分を含むと、この成分は送信用端末の時間帯から受信用端末の時間帯に変換される。
【００１６】
本発明の実施の形態において、方法は、それぞれの使用者が入手するまたは入手するつもりの電話番号を、使用者の端末から中継センターまたは各中継センターにて受信する工程と、この情報を使用者のそれぞれのグループに送信する工程と、受信用端末にて受信した電話番号を表示する工程とを含んでいる。
【００１７】
ＩＴＲＩＳＡＮを介して使用者がＩＴＲＩＳＡＮ情報を入手可能となるように、情報はインターネット上に公開される。公開された情報の利用は申込みまたは支払いが必要である。
【００１８】
本発明の第二の特徴によれば、状態ネットワークに接続するための状態端末であって、端末は、ディスプレイと、使用者データ入力手段と、１つまたはそれ以上の遠隔電話および／または電話使用者および／または電話線の状態を識別する情報を状態ネットワークから受信するように配置された信号入力手段と、上記受信した情報をディスプレイに表示するために上記入力手段および上記ディスプレイ間に接続された第一処理手段と、状態ネットワークに接続された信号出力手段と、使用者データ入力手段と信号出力手段との間、および／または、使用者の電話／電話線と信号出力手段との間に接続されており、使用者および／または電話の状態情報であって、電話から受信した状態情報を識別する使用者によって入力された情報を、後に状態ネットワークに送信するための信号出力手段に中継するように配置された第二処理手段とを備えている。
【００１９】
端末の機能性は、固定回線または携帯式の電話端末に組み込まれていてもよく、もしくは、ある適切な情報表示装置またはある適切なネットワーク情報入力装置に組み込まれていてもよい。あるいは、（ＩＴＲＩＳＡＮ）端末は、線または無線での接続を介して使用者の電話に接続された単独の端末とすることができる。いずれにしても、ＩＴＲＩＳＡＮ端末は固定回線端末または無線端末である。端末は必須機能を組み込んでいるコンピュータ端末であってもよく、コンピュータ端末は電話機能を組み込むことができる。端末は携帯電話であってもよい。
【００２０】
本発明の第三の特徴によれば、電話および／または電話使用者および／または電話線の状態情報を配布するように配置された状態ネットワークであって、ネットワークは、本発明の上記第二の特徴に基づく多数の状態端末と、送信用の状態端末に接続された、電話および／または電話使用者および／または電話線の状態に対応する情報を、状態端末から受信するための手段、他の状態端末に接続されたグループを各状態端末に記憶するためのメモリ手段、および各送信用の状態端末から受信した情報を、送信用端末に接続された他の状態端末の上記グループに即座に中継する伝達手段を有する少なくとも１つの中継センターとを備えている。
【００２１】
ＩＴＲＩＳＡＮは、中継センターに、および中継センターからデータを運ぶために既存の電気通信ネットワーク基盤を使用してもよい（例えば、ＩＴＲＩＳＡＮは仮想ネットワークである）。あるいは、ＩＴＲＩＳＡＮは専用の基盤を使用してもよく、既存と専用基盤との組み合わせを使用してもよい。
【００２２】
本発明の他の特徴は、
個々の電話使用者に長期（あるいは一生）の、アルファベット、アルファベットと数字、または数字のコードからなるＩＤコードを割り当てる方法を含んでいる。このような長期ＩＤコードは電話使用者のグループにも割り当てられる。使用者は彼が使用する（ＩＴＲＩＳＡＮ）端末に彼のＩＤコードをプログラムする。この端末は使用者の標準的な端末としてもよく、一時的に使用する端末としてもよい。
【００２３】
経路選択情報に関する情報、およびＩＤコードが割り当てられた電話使用者または使用者のグループの状態に関する情報をリアルタイムに提供する方法を含んでいる。また呼び出す電話番号を即座にまたは後に公表する方法を含んでいる。
【００２４】
本発明をより理解するために、またどのように行うかを示すために、参照するたとえば添付図面が示されている。図１はＩＴＲＩＳＡＮ端末の概略を示す図である。また、図２はＩＴＲＩＳＡＮの概略を示す図である。
【００２５】
図１にはキーパッド２と液晶ディスプレイ３とを備えた単独の電話状態ネットワーク端末１（以下ＩＴＲＩＳＡＮ端末という）が示されている。端末１は、固定回線または他の手段を介して電話（図示せず）に接続して使用するようになっている信号コネクタ４と、端末１と１つまたはそれ以上の周回軌道衛星との間に信号を送信するための無線アンテナ５とを有している。端末１は中央演算処理装置（ＣＰＵ）６と、ＣＰＵに接続されたメモリ７とを備えている。
【００２６】
図２には「ＩＴＲＩＳＡＮ」が図示されている。大まかに言えば、ＩＴＲＩＳＡＮは、所定のＩＴＲＩＳＡＮ端子１から他の同様の端末へ電話と電話使用者ＩＴＲＩＳＡＮ情報とをマルチキャスト通信することが可能なネットワークである。ＩＴＲＩＳＡＮは、局所的ＩＴＲＩＳＡＮセンター８と全国的ＩＴＲＩＳＡＮセンター９とを含む多数の情報中継センターからなっている。各情報中継センター８，９は、それぞれの無線アンテナ（図示せず）を介して周回軌道衛星と接続している。あるいは局所的ＩＴＲＩＳＡＮセンター８は、全国的ＩＴＲＩＳＡＮセンター９を介して衛星に接続している。ネットワーク上で送信されるデータは、不正な盗聴を防止するために暗号化される。
【００２７】
多数の単独のＩＴＩＲＳＡＮ端末１とは別に、図２にはコネクタ１１に接続された端末１０のセットが図示されている。この場合、端末１０と衛星との間の通信は、集信機を通る経路である。このような配置は、１つの衛星中継で多くの端末１０を利用することができるので、共同使用者に好都合である。全てのＩＴＲＩＳＡＮ端末には、ＩＴＲＩＳＡＮだけでなく端末または使用者にも知られている識別コード（ＩＤコード）が割り当てられている（場合によっては、例えばコールセンターに接続された固有の端末といった端末のグループには共通のＩＤコードを割り当てる）。
【００２８】
ＩＴＲＩＳＡＮ端末の使用者、または共同ＩＴＲＩＳＡＮを使用している会社は、ＩＴＲＩＳＡＮサービスを利用するためにＩＴＲＩＳＡＮの管理者に使用料を払う（あるいは、または加えて使用者はサービスの利用に基づいて請求される）。ＩＴＩＲＩＳＡＮの管理者は電話ネットワークの管理者のこともあり、独立していることもある。
【００２９】
端末１，１０のキーボード２、または本実施形態における電話のキーパッドの使用において、使用者は、彼の端末から送信するＩＴＲＩＳＡＮ情報を受信させようと思う他のＩＴＲＩＳＡＮ端末１，１０のＩＤコードを、端末にキー入力することができる。入力されたＩＤコードは、送信用端末の局所的ＩＴＲＩＳＡＮセンター８に送信され、そこでグループ化され送信用端末のＩＤコードに接続される。また、適切に全国的または国際的なセンターにアップロードするために局所的ＩＴＲＩＳＡＮセンターの電子データメモリに記憶される。いくつかの他のＩＴＲＩＳＡＮ端末１，１０の使用者は、さらに彼の端末のＩＤコードを局所ＩＴＲＩＳＡＮセンター８に送信し、そのグループに加える。これを行うために、彼は加えようと思うＩＤコードグループに、端末のＩＤコードを送信する必要もある。他のＩＴＲＩＳＡＮ使用者に彼の端末のＩＤコードを広めるために、使用者は彼のＩＤコードを名刺にプリントし、また個人または会社のレターヘッドに書いてもよい。これは実際には、特定の使用者の状態情報にアクセスする人の数を限定する。
【００３０】
局所的ＩＴＲＩＳＡＮセンター８は、同じ局所的センター８に接続されたＩＴＲＩＳＡＮ端末１，１０間にＩＴＲＩＳＡＮ情報を送信することができる。しかしながら、同じ局所的センター８に接続されていない端末間に情報を送信するためには、情報は１つまたはそれ以上の全国的および／または国際的ＩＴＲＩＳＡＮセンター９および／または他の局所的ＩＴＲＩＳＡＮセンター８を通る経路を選択しなければならない。ＩＴＲＩＳＡＮは、ＩＴＲＩＳＡＮ端末に識別の誤りを定期的に問い合わせる。
【００３１】
ＩＴＲＩＳＡＮの工程は、一例として最良のものを説明している。簡潔な場合として、各ＩＴＲＩＳＡＮ端末１，１０は、対応する電話からオンフックおよびオフフック信号を受信する。これらの信号は、それぞれの局所的ＩＴＲＩＳＡＮセンター８に即座に送信される。信号は送信用端末１，１０のＩＤコードに添付され、そのような局所的ＩＴＲＩＳＡＮセンター８は、ＩＴＲＩＳＡＮ情報を受信すべき端末１，１０のＩＤコードを決定することができる。情報はこれら端末１，１０に直接、もしくは全国的ＩＴＲＩＳＡＮセンター９および／または集信機１１を介して中継される。端末１，１０は、ＩＴＲＩＳＡＮメッセージの受領に反応すると、「ユーザＸＸＸは話し中である」あるいは「ユーザＸＸＸはＮＮＮＮ  ＮＮＮＮＮＮＮが使用可能である」といったメッセージをディスプレイ３に表示する。受信用端末のディスプレイ３の電源が切られている場合には、受信した情報は端末のメモリ７に記憶される。メモリ７にアクセスできないときは（例えば端末の電源が切られている、または携帯端末であって圏外にいる）、端末の電源が入るまで（または携帯端末の場合圏内に戻るまで）、受信用端末１，１０の局所的ＩＴＲＩＳＡＮセンター８に情報を記憶しておく。
【００３２】
ＩＴＲＩＳＡＮ端末のディスプレイは、古い情報で混乱することを回避するために定期的にリセットされる。例えば、各日の始まりに、ディスプレイがクリアされ、日中はユーザが必要とする情報のみが加えられる。
【００３３】
しかしながら、ＩＴＲＩＳＡＮは、使用者の現在の電話経路選択／状態情報だけを広めることに限られていない。例えば、使用者が会社または自宅を離れている、または会議に参加しているときに、彼は端末の対応するグループに通知することができる（彼の端末のボタンを押すことによって）。彼は再び使用可能となったとき（または日）に端末に接続することもできる。彼が自宅または会社に帰ると（または会議が終わると）、再びボタンを押すことによって先の通知を取り消すことができる。
【００３４】
さらなる追加機能として、ＩＴＲＩＳＡＮ端末１，１０は、その局所的ＩＴＲＩＳＡＮセンター８に、連絡することができる端末を使用している使用者の電話番号を送信することができる。この電話番号は、端末１，１０に取り付けられた電話の電話番号、またはいくつかの他の電話（例えば携帯電話）の電話番号である。電話番号を状態変化通知メッセージと共に送信してもよく、自動的に行ってもよい。例えば使用者が会社を離れていることを表示するためのボタンを押せば、彼の携帯番号が局所的ＩＴＲＩＳＡＮセンター８に送信される。彼が会社に戻り適切なボタンを押すと、彼の会社の番号が局所的センター８に送信される。電話番号データは、局所的ＩＴＲＩＳＡＮセンター８（あるいは全国的および国際的ＩＴＲＩＳＡＮセンター９）を介して他の端末に広められ、関心のある使用者に表示される。代わりにまたは加えて、使用者には、他の端末に送信するための彼のＩＴＲＩＳＡＮ端末１，１０に（使用可能な）電話番号を手動で入力する選択肢がある。
【００３５】
別の追加機能は、ＩＴＲＩＳＡＮ端末１，１０へのオートダイヤル機能である。使用者は彼の端末に表示されたユーザのリストからユーザを選択し（例えばスクロールキーを使用して）、ユーザの記憶された番号（またはユーザが現在使用可能な番号）を自動的にダイヤルする。機能はまた、選択されたユーザが電話に出ることができるようになった時に、自動的に呼び出すようになっていてもよい。
【００３６】
さらに別の追加機能は、ＩＴＲＩＳＡＮの使用者の情報を利用したいと望む他の使用者を、異なるレベルにグループ化する。ＩＴＲＩＳＡＮは使用者に割り当てたレベルを通知する。使用者は他の使用者の少数を高優先レベルに、より多数を中間の優先レベルに、そして残りを低優先レベルに割り当てる。使用者が忙しいとき、彼は高優先グループのメンバーのみに対して使用可能であると通知する旨をＩＴＲＩＳＡＮに通知することができる。忙しくないときは、中間の優先グループ（ことによると低優先グループ）のメンバーに対して使用可能であると通知する旨をＩＴＲＩＳＡＮに通知することができる。
【００３７】
時として、多数のＩＴＲＩＳＡＮ使用者は、他の使用者の電話が使用可能になったことを知ることを望んでいる。何も行われない場合、多くの使用者が同時に呼び出すことを試みることになる。この問題は、別の使用者が電話を使用することが可能となったときに、使用者のサブグループに順次通知することによって軽減される。「使用可能である」旨の通知は、所定時間、例えば１分、第一サブグループの端末に表示される。その後、状態は使用不可をリセットし、使用者の次のサブグループの端末に、他の使用者は使用可能である等の通知をする。もちろん、個々の使用者に順番に通知することもできる（サブグループではなく）。
【００３８】
上述した本発明の実施の形態は、２つまたはそれ以上の電話（すなわち２つまたはそれ以上のＩＴＲＩＳＡＮ端末）に加入し、そのうちの１つがモバイル機器であるユーザにとって著しい利益をもたらす。モバイル機器が盗まれ盗人に使用されたとしても、真の所有者は、盗まれたモバイル機器が使用されている旨を別の端末に警告させることによって、不正使用に気付く。
【００３９】
上述した本発明の範囲を超えない限り当業者によって多種の修正ができる。例えば、ＩＴＲＩＳＡＮは、使用者が１以上のＩＴＲＩＳＡＮ端末を介してＩＴＲＩＳＡＮ情報を受信および送信することができるようにする。例えば、使用者はモバイルＩＴＲＩＳＡＮ端末と同様のデスクトップ端末を持つことができる。ＩＴＲＩＳＡＮ端末は、所定の端末または端末使用者の状態／可用性が変わったときに、使用者に警告する機能を有する。時として、所定のＩＴＲＩＳＡＮ端末に接続された端末のグループを、集団的に企業使用者によって定義することもできる。
【００４０】
本発明は専用のＩＴＲＩＳＡＮ端末の記述によって明らかにされた一方で、このような端末の機能性は、デスクトップやラップトップＰＣのようなコンピュータワークステーションに容易に導入することができる。機能性は、パームコンピュータまたはＰＤＡに導入することもできる。このようなコンピュータ装置は、離れた電話に接続することができ、または電話の機能に組み込むことができる。本発明は、モバイル装置に組み込まれたＩＴＲＩＳＡＮ端末の機能性を有する携帯電話および他のモバイル通信装置の使用に特に適していることが分かる。
【図面の簡単な説明】
【図１】
ＩＴＲＩＳＡＮ端末の概略を示す図である。
【図２】
ＩＴＲＩＳＡＮの概略を示す図である。